(57)【要約】【課題】アンテナ素子とグランドの２層を有する端末に、全体として十分な可撓性を持たせて、ウェアラブル化する。【解決手段】支持体と、アンテナ素子を構成する第１金属層とグランドを構成する第２金属層とを備えたアンテナと、第１金属層と第２金属層と基板を被覆する被覆フィルムと、第１金属層と第２金属層とで挟み込まれ、かつ、第２金属層と接着しないクッション材とで構成されたウェアラブル端末において、腕などに装着した時に内側に配置されたグランドが形成する円弧以外の余長部分を収納するための孔部を支持体に備える。【選択図】図１
2020202460.tif 000002
【特許請求の範囲】
【請求項１】
支持体と、アンテナとを備えたウェアラブル端末であって、
アンテナ素子を構成する第１金属層と、
グランドを構成する第２金属層で構成されたアンテナと、
前記第１金属層と前記第２金属層と基板とを被覆する被覆フィルムと、
を備え、
前記第１金属層及び前記第２金属層は、フレキシブル性を有した金属、または、フレキシブル性を有する材料上に形成された金属箔からなり、
前記第１金属層は、前記被覆フィルムに接着されており、
前記支持体または前記アンテナが、クッション材を備え、
前記アンテナは、前記クッション材を、前記第１金属層と前記第２金属層とで挟み込むように取り付けられており、前記クッション材が、前記第１金属層と前記第２金属層とを所定の距離だけ離隔させ、
前記被覆フィルムが、前記支持体と接着されており、
前記第２金属層と前記基板の複合体が、前記クッション材と接着されていない、
ウェアラブル端末。
【請求項２】
請求項１に記載のウェアラブル端末であって、
前記支持体が孔部を有し、
前記ウェアラブル端末を湾曲させた際、前記クッション材よりも湾曲の内側にある部材について発生した余長を、前記孔部が収納する、
ウェアラブル端末。
【請求項３】
請求項１又は請求項２に記載のウェアラブル端末であって、
前記アンテナが逆Ｆアンテナであり、
前記第１金属層と、前記第２金属層とが、短絡部を介して接続され、
前記第１金属層と、前記基板とが、給電ピンを介して接続されている、
ウェアラブル端末。
【請求項４】
請求項１又は請求項２に記載のウェアラブル端末であって、
前記アンテナがパッチアンテナであり、
前記第１金属層と、前記基板とが、給電ピンを介して接続されている、
ウェアラブル端末。
【請求項５】
請求項３に記載のウェアラブル端末であって、
前記アンテナが前記クッション材を備えており、
前記支持体が、前記アンテナを取り付けるための突起を備える、
ウェアラブル端末。
【発明の詳細な説明】
【技術分野】
【０００１】
本発明は、ウェアラブル端末に関する。
【背景技術】
【０００２】
特許文献１には、ＩＣチップに記録された情報をアンテナによって無線で送信するインレットを搭載し、人体の一部に装着可能なリング状に形成された装着バンドが、樹脂製の硬質フィルムによってインレットを包含するＲＦＩＤタグと、ＲＦＩＤタグを包含してリング状に形成された弾性体とを備えており、ＲＦＩＤタグは、弾性体よりも単位引張力あたりのその引張方向のひずみが小さくなるように構成されていることが記載されている。
【０００３】
上記技術は、人体の一部に装着して個人を識別するのに好適な装着バンドに関するものである。しかし、硬質フィルムがインレットを包含しているため、硬質フィルムの剛性によってＲＦＩＤタグはあまり曲がらないものである。また、エナジーハーベストを用いることも可能な、アンテナ素子とグランド（ＧＮＤ）の２層構造を前提とする本開示のウェアラブル端末とは、構造が異なる。
【先行技術文献】
【特許文献】
【０００４】
【特許文献１】特開２００７−２８６２１４号公報
【発明の概要】
【発明が解決しようとする課題】
【０００５】
人体に装着する、ウェアラブル端末の需要がある。特定的な例としては、病院等で患者が手首に巻くリストバンドがこれに該当する。ただし、ウェアラブル端末はリストバンドに限られず、腰に巻くベルト等であってもよい。
【０００６】
従来から、病院における入院患者の管理のため、２次元バーコードを用いたリストバンドが使用されてきた。シリコーン等の柔らかい素材の上に、印刷面をＰＥＴ等の材料を用いて形成し、印刷面にバーコードを印刷する。このバーコードを読み取ることで、リストバンドを腕（手首）に巻いた入院患者のデータを管理することができる。
【０００７】
しかし上述のリストバンドは、汚れに弱い、看護師等がバーコードリーダをかざしてバーコードを読み取る作業が必要となる、等の点で不便である。
【０００８】
その為、上記構成のリストバンドではなく、ＲＦＩＤを組み込んだリストバンドが用いられるようになってきた。ＲＦＩＤは、外部からの無線通信が可能であるため、リストバンド表面が汚れても問題無く通信を行うことができ、また、読み取り機器を近接させる必要もない。
【０００９】
図１０は、ＲＦＩＤを用いた従来のリストバンドの一例を示したものであり、（ａ）上面図、（ｂ）側面図、（ｃ）腕に巻き付けた状態を示す図である。図１０に示したリストバンド５は、シリコーンゴム等のフレキシブル性を有するクッション材５１の上に、ＲＦＩＤアンテナ５２が配置されて形成されている。前記構成を有するリストバンドを図１０（ｃ）に示すように腕に巻き付けると、ＲＦＩＤアンテナ５２が腕の円弧に添うように湾曲する。しかし、前記構成は、腕に巻き付ける事自体は可能であるが、外部からの電波が腕等の人体に含まれる水分に吸収される為、アンテナ性能が低下するという問題点を有している。
【００１０】
そこで、アンテナ性能を高めるために、その内側面に金属体をグランドとして配置した端末が考えられる。図１１は、グランドを備えた端末６の構成を示す図であり、（ａ）上面図、（ｂ）側面図、（ｃ）腕への巻き付けを示す図である。
【００１１】
図１１に示すように、端末６が備えるクッション材６１の外側面（腕に接する側とは反対側の面）にアンテナ素子６２を固定し、クッション材６１の内側面（腕に接する側の面）に金属製のグランド６３を固定する。前記構成において、外部からの電波が腕等の人体へと逃げる事を、グランド６３が防止する。よって、前記構成により、アンテナ性能が向上する。
【００１２】
しかし、上述のアンテナ素子６２とグランド６３の２層を有する構造においては、アンテナ素子６２とグランド６３との間に、所定の距離を確保することが必要となる。また、アンテナ素子６２は波長に比して十分な大きさが必要となる。すると、この端末６をウェアラブル化しようとする際に、以下の、新たな問題が生じる。
【００１３】
上記構成を有する端末６を腕に巻き付けようとした場合、図１１（ｃ）に示すように、アンテナ素子６２が形成する円弧よりも、グランド６３が形成する円弧の方が、曲率半径が小さなものとなる。そのため、湾曲に伴って、グランド６３の端部には余長が発生し、突っ張ってしまうため、大きな曲率（小さな曲率半径）で端末６を湾曲させることができない。無理に湾曲させると、アンテナ素子６２等に折れや破断が発生する。また、折れた箇所において、アンテナ素子６２とグランド６３との間の所定の距離を維持できず、アンテナの特性が維持できない。
【００１４】
このように、アンテナ素子とグランドの２層を有する端末を、腕に巻き付けるなどの大きな曲率（小さな曲率半径）で湾曲させた時に、上記の不具合が生じないようにウェアラブル化することは、困難であった。
【００１５】
本発明はかかる問題点に鑑みてなされたものであり、アンテナ素子とグランドの２層を有する端末に、全体として十分な可撓性を持たせて、ウェアラブル化することを目的とする。
【課題を解決するための手段】
【００１６】
支持体と、アンテナとを備えたウェアラブル端末において、アンテナ素子を構成する第１金属層と、グランドを構成する第２金属層で構成されたアンテナと、前記第１金属層と前記第２金属層と基板とを被覆する被覆フィルムと、を備え、前記第１金属層及び前記第２金属層は、フレキシブル性を有した金属、または、フレキシブル性を有する材料上に形成された金属箔からなり、前記第１金属層は、前記被覆フィルムに接着されており、前記支持体または前記アンテナが、クッション材を備え、前記アンテナは、前記クッション材を、前記第１金属層と前記第２金属層とで挟み込むように取り付けられており、前記クッション材が、前記第１金属層と前記第２金属層とを所定の距離だけ離隔させ、前記被覆フィルムが、前記支持体と接着されており、前記第２金属層と前記基板の複合体が、前記クッション材と接着されていない。さらに、支持体と、アンテナ素子を構成する第１金属層とグランドを構成する第２金属層とを備えたアンテナと、第１金属層と第２金属層とを被覆する被覆フィルムと、第１金属層と第２金属層とで挟み込まれ、かつ、第２金属層と接着しないクッション材とで構成されたウェアラブル端末において、腕などに装着した時に内側に配置されたグランドが形成する円弧以外の余長部分を収納するための孔部を支持体に備えたものである。
【００１７】
上記構成により、アンテナ素子とグランドの２層を有する端末に、全体として十分な可撓性を持たせて、ウェアラブル化することができる。
【図面の簡単な説明】
【００１８】
【図１】本開示の第１実施形態に係るアンテナ１Ａを備えたウェアラブル端末１０１を示す図であり、（ａ）支持体２に取り付ける前のアンテナ１Ａを示す側面図、（ｂ）支持体２にアンテナ１Ａを取り付けた後の状態を示す側面図、（ｃ）支持体２にアンテナ１Ａを取り付けた後の状態を示す上面図
【図２】ウェアラブル端末１０１の人体（本例においては腕）への装着を示す図であり、（ａ）装着前の状態を示す図、（ｂ）装着後の状態を示す図
【図３】本開示の第２実施形態に係るアンテナ１Ｂを備えたウェアラブル端末１０２を示す図であり（ａ）支持体２にアンテナ１Ｂを取り付けた後の状態を示す上面図、（ｂ）支持体２にアンテナ１Ｂを取り付けた後の状態を示す側面図
【図４】ウェアラブル端末１０２の人体（本例においては腕）への装着を示す図であり、（ａ）装着前の状態を示す図、（ｂ）装着後の状態を示す図
【図５】本開示の第３実施形態に係るアンテナ１Ｃを備えたウェアラブル端末１０３を示す図であり、（ａ）アンテナ１Ｃを示す図、（ｂ）支持体２にアンテナ１Ｃを取り付けた後の状態を示す側面図、（ｂ）支持体２にアンテナ１Ｃを取り付けた後の状態を示す上面図
【図６】図５に示したユニット式のアンテナ１Ｃの、支持体２の本体２１への取り付けを示す図
【図７】ウェアラブル端末１０３の人体（本例においては腕）への装着を示す図であり、（ａ）装着前の状態を示す図、（ｂ）装着後の状態を示す図
【図８】前記ウェアラブル端末１０３の構造を示す図であり、（ａ）上面図、（ｂ）側面図、（ｃ）図８（ａ）のＡ−Ａ断面図
【図９】図８に示したウェアラブル端末１０３をリング状に湾曲させた状態を示す図であり、（ａ）斜視図、（ｂ）正面図、（ｃ）側面図、（ｄ）図９（ａ）の鎖線部における断面図。
【図１０】ＲＦＩＤを用いた従来のリストバンドの一例を示したものであり、（ａ）上面図、（ｂ）側面図、（ｃ）腕に巻き付けた状態を示す図
【図１１】グランドを備えた端末６の構成を示す図であり、（ａ）上面図、（ｂ）側面図、（ｃ）腕への巻き付けを示す図
【発明を実施するための形態】
【００１９】
以下、適宜図面を参照しながら詳細に説明する。なお、添付図面及び以下の説明は、当業者が本開示を十分に理解するために提供されるのであって、これらにより特許請求の範囲に記載の主題を限定することは意図されていない。
【００２０】
図１は、本開示の第１実施形態に係るアンテナ１Ａを備えたウェアラブル端末１０１を示す図であり、（ａ）支持体２に取り付ける前のアンテナ１Ａを示す側面図、（ｂ）支持体２にアンテナ１Ａを取り付けた後の状態を示す側面図、（ｃ）支持体２にアンテナ１Ａを取り付けた後の状態を示す上面図である。
【００２１】
図１（ａ）に示すように、アンテナ１Ａは、アンテナ素子を構成する第１金属層１１と、グランドを構成する第２金属層１２とを備える。第１金属層１１と第２金属層１２はそれぞれ、フレキシブル性を有した金属、または、フレキシブル性を有する材料上に形成された金属箔からなる。なお、本願における「フレキシブル」「フレキシブル性を有する」とは、その伸縮率が±３％以上である事を意味する。一例として、第１金属層１１と第２金属層１２はそれぞれ、銅板によって形成されてよい。
【００２２】
第１金属層１１と第２金属層１２とは、互いにほぼ平行に向かい合うように配置され、その間には隙間が存在する。この隙間に、後述のクッション材２３を受け入れることになる。第１金属層１１と第２金属層１２との間は、短絡部１３を介して接続されている。また、第１金属層１１と後述の基板１５とは給電ピン１６を介して接続している。それによりＦの字を逆にしたような形状となることから、アンテナ１Ａは逆Ｆアンテナとも呼ばれている。なお、第２金属層１２は、第１金属層１１よりも面積の大きいものであってよい。また、第２金属層１２の背面には基板１５を備えており、基板１５と第２金属層１２とは互いに接着されグランドはつながっている。そこで、以下、基板１５と第２金属層１２とを１つの複合体として扱う事がある。基板１５は、例えばフレキシブルプリント基板（ＦＰＣ）などであってよい。
【００２３】
本開示のアンテナ１Ａは、さらに、被覆フィルム１４を備える。被覆フィルム１４は、ＰＥＴ等の樹脂フィルムであり、薄く、柔軟性のあるものを用いる。この被覆フィルム１４が、前記第１金属層１１、第２金属層１２及び短絡部１３を被覆する。
【００２４】
第１金属層１１は、被覆フィルム１４と接着されている。一方、基板１５と第２金属層１２とで構成された複合体は、被覆フィルム１４と接着されていない。
【００２５】
図１（ｂ）及び図１（ｃ）を用いて、上記構成を備えたアンテナ１Ａを、支持体２に取り付けた状態を説明する。なお、図１（ｃ）の横方向を、支持体２の長手方向とし、図１（ｃ）の縦方向を、支持体２の短手方向とする。
【００２６】
支持体２の具体例は、リストバンドである。ただし、支持体２は腰に装着するベルト等であってもよく、人体に装着して用いるものである。以下、支持体２はリストバンドであるという前提で説明を行う。
【００２７】
支持体２は本体２１を備えている。ここで、支持体２は人体に装着して用いるものであるため、一定以上の曲率（一定以下の曲率半径）で湾曲させることが出来るように、シリコーンゴム等の軟らかい素材で本体２１が構成されている。
【００２８】
支持体２は、上記アンテナ１Ａを取り付けるためのクッション材２３を備えている。クッション材２３は、本体２１と一体形成されてよく、別途形成したクッション材２３を、本体２１に接着等によって固定してもよい。
【００２９】
クッション材２３は、所定の厚さｄを有する不導体であり、湾曲させても、湾曲の前後で厚さの変わらないものを用いる。なお、ここで言う「厚さの変わらない」とは、厚さの変動が、所定の厚さｄの±４０％の範囲内に収まることを言う。クッション材２３の所定の厚さｄは、一例としては３ｍｍから５ｍｍである。
【００３０】
クッション材２３の材質は、本体２１の材質と同じであっても、異なる材質であってもよい。一例として、クッション材２３の材質はシリコーンゴムであってよい。ただし、これには限定されない。
【００３１】
なお、支持体２及びクッション材２３の、図１（ｂ）における上側の面を、外側面と表現し、図１（ｂ）における下側の面を、内側面と表現する。支持体２がリストバンドである場合、支持体２の内側面と腕とが接する状態となる。
【００３２】
また、支持体２は、支持体２の長手方向に配置された孔部２２を有している。孔部２２は、本体２１とクッション材２３との間に設けられている。この孔部２２の機能については後述する。
【００３３】
上述のような支持体２へのアンテナ１Ａの取り付けは、例えば以下のようにして行われる。図１（ａ）及び図１（ｂ）に示すように、被覆フィルム１４が所定の箇所に開口部１４２を有している。開口部１４２を開いた状態（図１（ａ）参照）で、アンテナ１Ａをクッション材２３へと差し込むようにして取り付ける。そして、開口部１４２を接着する等して閉じることで、アンテナ１Ａが支持体２に、容易に脱落しないように取り付けられる。
【００３４】
なお、被覆フィルム１４を、支持体２の一部に接着させてよい。例えば、図１（ｂ）に示した、クッション材２３の外側面（図の上側の面）と、被覆フィルム１４の対向する面とを接着することができる。また、被覆フィルム１４と、支持体２の他の箇所とを接着してもよい。この接着箇所は、支持体２の形状による。
【００３５】
上述のようにアンテナ１Ａを支持体２へと取り付けることにより、ウェアラブル端末は、以下のような状態となる。
・アンテナ素子（第１金属層１１）よりも人体に近い位置に、グランド（第２金属層１２）が配置される。
・被覆フィルム１４が、支持体２の一部と接着している。
・アンテナ素子（第１金属層１１）は、被覆フィルム１４と接着している。
・グランド（第２金属層１２）と基板１５の複合体は、被覆フィルム１４と接着していない。
・グランド（第２金属層１２）と基板１５の複合体は、クッション材２３と接着していない。
・アンテナ素子（第１金属層１１）は、グランド（第２金属層１２）と、短絡部１３を介して接続されている。そのため、グランド（第２金属層１２）が脱落することはない。
【００３６】
上記のようにアンテナ１Ａが取り付けられた支持体２を有するウェアラブル端末１０１を、人体に装着する。図２は、ウェアラブル端末１０１の人体（本例においては腕）への装着を示す図であり、（ａ）装着前の状態を示す図、（ｂ）装着後の状態を示す図である。この例においては、ベルト状の支持体２を、腕に巻き付けて装着するものとし、ベルト状の支持体２の両端を留める留め具は、図示を省略する。
【００３７】
図２（ａ）に示した支持体２は、まだ湾曲していない。この支持体２を腕に巻き付けることにより、図２（ｂ）に示した状態となり、支持体２はクッション材２３も含め、全体が湾曲する。
【００３８】
アンテナ１Ａの、アンテナ素子を構成する第１金属層１１の湾曲により、クッション材２３も湾曲に追随して湾曲する。一方、アンテナ１Ａの、グランドを構成する第２金属層１２は、クッション材２３と接着されていないため、クッション材２３の表面を滑りながら、腕の形状に合わせて湾曲する。
【００３９】
所定の厚さｄを有するクッション材２３が配置されていることにより、第１金属層１１と第２金属層１２との間の距離は、上記の湾曲の前後で一定に保たれる。
【００４０】
なお、湾曲後において、アンテナ素子を構成する第１金属層１１が形成する円弧よりも、グランドを構成する第２金属層１２が形成する円弧の方が、曲率半径が小さなものとなる。そのため、湾曲に伴って、第２金属層１２の端部には曲率半径が小さいために必要な円弧長さ以外の余長１２１が発生し得る。しかし、支持体２に設けられた孔部２２がこの余長を収納する。また、孔部２２は、基板１５の余長１５１と、被覆フィルム１４の余長１４１も収納する。
【００４１】
以上のように、アンテナ１Ａが取り付けられた支持体２を有するウェアラブル端末１０１を人体に装着し、これを湾曲させても、第１金属層１１及び第２金属層１２に折れや破断が発生しない。また、第１金属層１１及び第２金属層１２との間の距離を一定に保つことができる。従って、アンテナ素子とグランドの２層を有する端末１０１に、全体として十分な可撓性を持たせて、ウェアラブル化することができる。
【００４２】
図３は、本開示の第２実施形態に係るアンテナ１Ｂを備えたウェアラブル端末１０２を示す図であり（ａ）支持体２にアンテナ１Ｂを取り付けた後の状態を示す上面図、（ｂ）支持体２にアンテナ１Ｂを取り付けた後の状態を示す側面図である。なお、図３（ａ）の横方向を、支持体２の長手方向とし、図３（ａ）の縦方向を、支持体２の短手方向とする。
【００４３】
図３に示したアンテナ１Ｂは、図１及び図２に基づき説明したアンテナ１Ａと、ほぼ同様の構成を有している。その為、共通する構成については同一の符号を付し、説明を省略する。
【００４４】
図１及び図２に示したアンテナ１Ａは、逆Ｆアンテナを使用するものであった。これに対し、図３に示したアンテナ１Ｂは、パッチアンテナを使用するものである。
【００４５】
アンテナ１Ｂは、第１金属層１１と第２金属層１２とを有し、第１金属層１１はアンテナ素子を構成し、第２金属層１２はグランド（ＧＮＤ）を構成する点は、アンテナ１Ａと同様である。また、アンテナ１Ｂも同じように基板１５を備えており、基板１５と第２金属層１２とは互いに接着されグランドもつながっている。そこで、以下、基板１５と第２金属層１２とを１つの複合体として扱う事がある。
【００４６】
基板１５は、例えばフレキシブルプリント基板（ＦＰＣ）などであってよい。アンテナ素子である第１金属層１１は、給電ピン１６を介して、基板１５と接続される。上記構成であれば、アンテナ素子を構成する第１金属層１１が外部から受け取ったマイクロ波などの電磁波を、給電に用いることができる。すなわち、アンテナ１ＢをＲＦエナジーハーベスト端末とすることができる。
【００４７】
図３の例では、第２金属層１２と基板１５は、クッション材２３により近い側に第２金属層１２が配置されている。しかし、第２金属層１２と基板１５の位置関係は、この逆の配置であってもよい。すなわち、クッション材２３により近い側に基板１５が配置されてもよい。なお、基板１５の厚さを考慮して、クッション材２３の厚さを決定することにより、第１金属層１１と第２金属層１２との間を所定の距離に保つことができる。
【００４８】
アンテナ１Ａと同様に、アンテナ１Ｂを支持体２へと取り付けることにより、以下のような状態となる。
・アンテナ素子（第１金属層１１）よりも人体に近い位置に、グランド（第２金属層１２）が配置される。
・被覆フィルム１４が、支持体２の一部と接着している。
・アンテナ素子（第１金属層１１）は、被覆フィルム１４と接着している。
・グランド（第２金属層１２）と基板１５の複合体は、被覆フィルム１４と接着している。
・グランド（第２金属層１２）と基板１５の複合体は、クッション材２３と接着していない。
・アンテナ素子（第１金属層１１）は、基板１５と、給電ピン１６を介して接続されている。
【００４９】
上記のようにアンテナ１Ｂが取り付けられた支持体２を有するウェアラブル端末１０２を、人体に装着する。図４は、ウェアラブル端末１０２の人体（本例においては腕）への装着を示す図であり、（ａ）装着前の状態を示す図、（ｂ）装着後の状態を示す図である。この例においては、ベルト状の支持体２を、腕に巻き付けて装着するものとし、ベルト状の支持体２の両端を留める留め具は、図示を省略する。
【００５０】
図４（ａ）に示した支持体２は、まだ湾曲していない。この支持体２を、腕に取り付けることにより、図４（ｂ）に示したような状態となり、支持体２はクッション材２３も含めて、全体が湾曲する。
【００５１】
アンテナ１Ｂの、アンテナ素子を構成する第１金属層１１は、クッション材２３の湾曲に追随して湾曲する。一方、アンテナ１Ｂの、グランドを構成する第２金属層１２と基板１５との複合体は、クッション材２３と接着されていないため、クッション材２３の表面を滑りながら、腕の形状に合わせて湾曲する。
【００５２】
所定の厚さｄを有するクッション材２３が配置されていることにより、第１金属層１１と第２金属層１２との間の距離は、上記の湾曲の前後で一定に保たれる。
【００５３】
なお、湾曲後において、アンテナ素子を構成する第１金属層１１が形成する円弧よりも、グランドを構成する第２金属層１２が形成する円弧の方が、曲率半径が小さなものとなる。そのため、湾曲に伴って、第２金属層１２の端部には余長１２１が発生し得る。同様に、基板１５にも余長１５１が発生し得る。しかし、支持体２に設けられた孔部２２がこれらの余長を収納する。また、孔部２２は被覆フィルム１４の余長１４１も収納する。
【００５４】
以上のように、アンテナ１Ｂが取り付けられた支持体２を有するウェアラブル端末１０２を人体に装着し、これを湾曲させても、第１金属層１１及び第２金属層１２に折れや破断が発生しない。また、第１金属層１１及び第２金属層１２との間の距離を一定に保つことができる。従って、アンテナ素子とグランドの２層を有する端末１０２に、全体として十分な可撓性を持たせて、ウェアラブル化することができる。
【００５５】
図５は、本開示の第３実施形態に係るアンテナ１Ｃを備えたウェアラブル端末１０３を示す図であり、（ａ）アンテナ１Ｃを示す図、（ｂ）支持体２にアンテナ１Ｃを取り付けた後の状態を示す側面図、（ｂ）支持体２にアンテナ１Ｃを取り付けた後の状態を示す上面図である。なお、図５（ｃ）の横方向を、支持体２の長手方向とし、図５（ｃ）の縦方向を、支持体２の短手方向とする。
【００５６】
図５に示したアンテナ１Ｃは、図１及び図２に基づき説明したアンテナ１Ａと、ほぼ同様の構成を有している。その為、共通する構成については同一の符号を付し、説明を省略する。
【００５７】
また、アンテナ１Ｃは、上述のアンテナ１Ａと同様、逆Ｆアンテナを用いる。アンテナ１Ａとアンテナ１Ｃの主要な違いは、アンテナ１Ｃをユニット化し、クッション材１７を支持体２ではなくアンテナ１Ｃが備える構成としたことである。
【００５８】
上述の第１実施形態（図１及び図２）、第２実施形態（図３及び図４）においては、支持体２がクッション材２３を備えていた。しかし、クッション材２３を支持体２の本体２１と一体成型すると、コスト高となることがある。
【００５９】
例えば、支持体２がリストバンドである場合、支持体２の本体２１は、腕時計のベルトの部分に相当することになる。ファッション性の観点から、支持体２の材質をシリコーンではなく、より高級な素材（例えば革製）にすることが考えられる。この時、支持体２の本体２１から、クッション材を含めたアンテナ１Ｃを取り外し自在に構成すれば、クッション材を本体２１とは異なる材料で実装することができて好適である。
【００６０】
そこで、逆Ｆアンテナ（第１金属層１１、第２金属層１２、短絡部１３、給電ピン１６）及び被覆フィルム１４に、クッション材１７をさらに加えた１群を、アンテナ１Ｃのユニットとする（図５（ａ）参照）。このアンテナ１Ｃのユニットを、本体２１に取り付ける（図５（ｂ）（ｃ）参照）。
【００６１】
すなわち、第３実施形態においては、アンテナ１Ｃが備えるクッション材１７は、支持体２の本体２１とは別体である。クッション材１７の材質や所定の厚さｄについては、第１実施形態について記載したクッション材２３と同様である。
【００６２】
また、支持体２が備える孔部２２が、アンテナ１Ｃのユニットを支持体２の本体２１に取り付けた際の、本体２１とクッション材１７との間に設けられる。孔部２２が奏する機能は、第１実施形態と同様である。
【００６３】
図６は、図５に示したユニット式のアンテナ１Ｃの、支持体２の本体２１への取り付けを示す図である。
【００６４】
図６に示すように、支持体２の本体２１は、突起２１１を備えている。突起２１１は、支持体２の長手方向に沿って複数配置される。また、突起２１１は、支持体２の短手方向に突出している。突起２１１の形状は、この例では円柱状となっている。しかし、突起２１１の形状は円柱以外であってもよく、突起２１１が突出する程度や突出角度も、適宜調整可能である。
【００６５】
図６に示したアンテナ１Ｃを支持体２の本体２１に取り付ける。このとき、被覆フィルム１４と他の部材との間の隙間１８を、支持体２の突起２１１へとはめ込む。このはめ込みにより、ユニット式のアンテナ１Ｃが支持体２に固定される。前記構成であれば、ユニット式のアンテナ１Ｃが、支持体２の本体２１から取り外し自在になる。また、ユニット式のアンテナ１Ｃが交換可能となる。
【００６６】
上記のようにアンテナ１Ｃが取り付けられた支持体２を有するウェアラブル端末１０３を、人体に装着する。図７は、ウェアラブル端末１０３の人体（本例においては腕）への装着を示す図であり、（ａ）装着前の状態を示す図、（ｂ）装着後の状態を示す図である。この例においては、ベルト状の支持体２を、腕に巻き付けて装着するものとし、ベルト状の支持体２の両端を留める留め具は、図示を省略する。
【００６７】
図７（ａ）に示した支持体２は、まだ湾曲していない。この支持体２を、腕に取り付けることにより、図７（ｂ）に示したような状態となり、支持体２は全体が湾曲する。アンテナ１Ｃもまた、腕に沿って湾曲する。
【００６８】
アンテナ１Ｃの、アンテナ素子を構成する第１金属層１１は、クッション材１７の湾曲に追随して湾曲する。一方、アンテナ１Ｃの、グランドを構成する第２金属層１２と基板１５の複合体は、クッション材１７と接着されていないため、クッション材１７の表面を滑りながら、腕の形状に合わせて湾曲する。
【００６９】
所定の厚さｄを有するクッション材１７が配置されていることにより、第１金属層１１と第２金属層１２との間の距離は、上記の湾曲の前後で一定に保たれる。
【００７０】
なお、湾曲後において、アンテナ素子を構成する第１金属層１１が形成する円弧よりも、グランドを構成する第２金属層１２が形成する円弧の方が、曲率半径が小さなものとなる。そのため、湾曲に伴って、第２金属層１２の端部には余長１２１が発生し得る。しかし、支持体２に設けられた孔部２２がこの余長を収納する。また、孔部２２は、基板１５の余長１５１と、被覆フィルム１４の余長１４１も収納する。
【００７１】
以上のように、アンテナ１Ｃが取り付けられた支持体２を有するウェアラブル端末１０３を人体に装着し、これを湾曲させても、第１金属層１１及び第２金属層１２に折れや破断が発生しない。また、第１金属層１１及び第２金属層１２との間の距離を一定に保つことができる。従って、アンテナ素子とグランドの２層を有する端末１０３に、全体として十分な可撓性を持たせて、ウェアラブル化することができる。
【００７２】
図８は、前記ウェアラブル端末１０３の構造を示す図であり、（ａ）上面図、（ｂ）側面図、（ｃ）図８（ａ）のＡ−Ａ断面図である。図９は、図８に示したウェアラブル端末１０３をリング状に湾曲させた状態を示す図であり、（ａ）斜視図、（ｂ）正面図、（ｃ）側面図、（ｄ）図９（ａ）の鎖線部における断面図である。
【００７３】
図８に示すように、支持体２はリストバンドであり、本体２１の長手方向両端には留め具２４、２５が設けられている。図８に示した支持体２を腕に巻き付けて、留め具２４および２５を係合することで、ウェアラブル端末１０３を人体（この例においては腕）に装着することができる。
【００７４】
図９においては、上記留め具２４、２５の図示を省略している。この図９からも、アンテナ１Ｃが支持体２の本体２１に取り付けられていることが明確に見て取れる。
【００７５】
以上のように、前記支持体が孔部を有し、前記ウェアラブル端末を湾曲させた際、前記クッション材よりも湾曲の内側にある部材について必要な円弧以上に発生した余長を、前記孔部が収納してよい。前記構成により、所定の厚さを有した２層構造のアンテナを備えたウェアラブル端末を湾曲させても、各部材の曲率半径の違いから生じる余長を前記孔部が収納する。その為、ウェアラブル端末を適切に湾曲させることができる。
【００７６】
上記構成において、前記アンテナが逆Ｆアンテナであり、前記第１金属層と、前記第２金属層とが、短絡部を介して接続され、前記第１金属層と、前記基板とが、給電ピンを介して接続されている。また、前記アンテナがパッチアンテナであり、前記第１金属層と、前記基板とが、給電ピンを介して接続されていてもよい。
【００７７】
上記構成において、前記アンテナが前記クッション材を備えており、前記支持体が、前記アンテナを取り付けるための突起を備えていてよい。前記構成により、クッション材を含めたアンテナを、支持体の本体から取り外し自在なユニットとすることができる。
【００７８】
以上、図面を参照しながら各種の実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。また、発明の趣旨を逸脱しない範囲において、上記実施形態における各構成要素を任意に組み合わせてもよい。
【符号の説明】
【００７９】
１０１  ウェアラブル端末
１０２  ウェアラブル端末
１０３  ウェアラブル端末
１Ａ    アンテナ
１Ｂ    アンテナ
１Ｃ    アンテナ
１１    第１金属層（アンテナ素子）
１２    第２金属層（グランド）
１２１  余長
１３    短絡部
１４    被覆フィルム
１４１  余長
１４２  開口部
１５    基板
１５１  余長
１６    給電ピン
１７    クッション材
１８    隙間
２      支持体
２１    本体
２１１  突起
２２    孔部
２３    クッション材
２４    留め具
２５    留め具
５      リストバンド
５１    クッション材
５２    ＲＦＩＤアンテナ
６      端末
６１    クッション材
６２    アンテナ素子
６３    グランド
【図１】
2020202460.tif 000003
【図２】
2020202460.tif 000004
【図３】
2020202460.tif 000005
【図４】
2020202460.tif 000006
【図５】
2020202460.tif 000007
【図６】
2020202460.tif 000008
【図７】
2020202460.tif 000009
【図８】
2020202460.tif 000010
【図９】
2020202460.tif 000011
【図１０】
2020202460.tif 000012
【図１１】
2020202460.tif 000013